(57)【要約】【課題】被覆体に覆閉されたカバーの先端角部に電線が引っ掛かるのを防止する。【解決手段】コネクタ１のハウジング２には、前後方向に延びた一対の収容リブ２１と、両収容リブ２１間に左右に並んで配置された一対の係止リブ２２とが備えられている。ハウジング２に備えられたカバー３は、カバー本体３１の先端縁部から係止爪部３２を延出させている。係止爪部３２の先端面３２ａ及び左右の側端面３２ｂは、係止爪部３２の表面に対して略直角に屈曲した平坦面となっている。係止爪部３２は、収容リブ２１間に収容されて、左右の側端面３２ｂを収容リブ２１の内面と向き合わせ、後縁部を係止リブ２２に係止されている。【選択図】図３
2011060648.tif 000002
【特許請求の範囲】
【請求項１】
被覆体に対するカバーの覆閉構造であって、
覆閉した前記カバーの先端部を両側から収容する一対の収容壁を前記被覆体に備え、
前記カバーの先端部の少なくとも先端角部の先端面は、前記カバーの先端部の一主面から他主面側に向けて平坦に延びていることを特徴とするカバーの覆閉構造。
【発明の詳細な説明】
【技術分野】
【０００１】
本発明は、被覆体に対するカバーの覆閉構造に関する。
【背景技術】
【０００２】
特許文献１に記載のコネクタカバーは、上面部に立設された一対の保護壁間に電線クリップを備え、一方の保護壁には電線クリップに保持された電線を上方から押さえ込む押さえ蓋を備えている。押さえ蓋は、他方の保護壁に先端部を支持されて閉じ、両保護壁と電線クリップとの間に入り込ませた突片を、保護壁の係合突部と係合させる。
【０００３】
特許文献２に記載のコネクタカバーは、第１カバー本体の両側にそれぞれ片翼を備え、両片翼間に形成されたコネクタの収容部を閉じる第２カバー本体を一方の片翼に備えている。第２カバー本体は、先端部を他方の片翼に支持されて閉じ、第１カバー本体が内側に備えるラッチにランスを係合させる。
【０００４】
特許文献３に記載のコネクタでは、ハウジングの電線引出面を閉じるカバーを電線引出面の一縁部に備え、残りの各縁部には受け部を備えている。カバーは、周縁部を受け部に支持されて電線引出面を閉じ、周縁部から延びた突片の係合孔を受け部の突起に係合させる。ハウジングのキャビティから引き出された電線は、カバーの裏面に沿うように屈曲して各受け部間に形成されたカバーとハウジングとの隙間から引き出される。
【先行技術文献】
【特許文献】
【０００５】
【特許文献１】特開平１０−５５８４８号公報
【特許文献２】特開２００８−２７７１０８号公報
【特許文献３】特開平１０−１１６６４９号公報
【発明の概要】
【発明が解決しようとする課題】
【０００６】
上記従来のカバーの覆閉構造では、コネクタのハウジング等の被覆体に支持されたカバーの周縁部と被覆体と間に電線が挟みこまれると、挟み込まれた電線でカバーが引き上げられて、カバーが開いてしまう虞があった。
【０００７】
本発明は、このような状況に鑑みてなされたものであり、上記課題を解決することができるカバーの覆閉構造を提供することを目的とする。
【課題を解決するための手段】
【０００８】
このような目的を達成するために、本発明のカバーの覆閉構造は、被覆体に対するカバーの覆閉構造であって、覆閉した前記カバーの先端部を両側から収容する一対の収容壁を前記被覆体に備え、前記カバーの先端部の少なくとも先端角部の先端面は、前記カバーの先端部の一主面から他主面側に向けて平坦に延びていることを特徴とする。
【発明の効果】
【０００９】
本発明によれば、覆閉したカバーの先端部を一対の収容壁で両側から収容し、カバーの先端角部の先端面を先端部の一主面から他主面側に向けて平坦に形成することで、カバーの先端角部に電線が引っ掛かるのを防止することができる。
【図面の簡単な説明】
【００１０】
【図１】本発明の一実施形態のコネクタの構成の概略を示す上方からの斜視図であり、（ａ）はカバーを開いた状態，（ｂ）はカバーを閉じた状態を示している。
【図２】図１に示すカバーの先端部を拡大して示す裏面側からの斜視図である。
【図３】図１に示すコネクタがカバーを閉じた状態を示す下方からの斜視図である。
【図４】図１に示すコネクタで閉じたカバーの係止爪部とハウジングの収容リブとの間に電線が挟まった状態を示す図である。
【図５】係止爪部の先端面に傾斜部を備えた従来のコネクタで係止爪部と収容リブとの間に電線が挟まった状態を示す図である。
【発明を実施するための形態】
【００１１】
以下、図面を参照して、本発明の一実施形態を説明する。図１は、本発明の一実施形態のコネクタ１の構成の概略を示す上方からの斜視図である。図２は、カバー３の先端部を拡大して示す裏面側からの斜視図である。図３は、コネクタ１がカバー３を閉じた状態を示す下方からの斜視図である。なお、以下の説明で用いる上下，前後，及び左右の各方向は説明に用いる各図に示している。この上下，前後，左右は説明のために記載したもので、実際の配置と異なってよいことはもちろんである。
【００１２】
図１に示すように、コネクタ１は、ハウジング２にカバー３を備えて構成されている。カバー３は、ヒンジ部４で回動自在にハウジング２に支持された平板状のカバー本体３１と、カバー本体３１の先端縁部から延びた係止爪部３２とを備えている。カバー本体３１は、ハウジング２が前面側に開口させた開閉口２０の上縁部にヒンジ部４で支持されており、開閉口２０を開いた開位置（図１（ａ）参照）と、開閉口２０を閉じてハウジング２に対して覆閉した閉位置（図１（ｂ）参照）との間で開閉する。
【００１３】
図２に拡大して示すように、係止爪部３２は、カバー本体３１の先端縁部の左右方向の端部及び中央部から延びた３本の縦爪部３２１と、各縦爪部３２１の先端同士を連結して左右方向に延びた横架部３２２とを備えている。縦爪部３２１は、カバー本体３１の先端縁部からカバー本体３１の延伸方向に延びた後、カバー本体３１の裏面側に略直角に屈曲している。
【００１４】
横架部３２２は、左右の両端部が縦爪部３２１とほぼ同じ肉厚に形成され、左右の端部間に位置する中央部が縦爪部３２１よりも肉薄に形成された板状体から構成されている。係止爪部３２の先端面３２ａ及び左右の側端面３２ｂは、係止爪部３２の表面及び裏面に対して略直角に屈曲した平坦面となっている。
【００１５】
図３に示すように、ハウジング２の下面には、カバー３の係止爪部３２を受ける受台部２３が設けられている。受台部２３の下面の左右の側縁部には、それぞれ収容リブ２１が備えられている。各収容リブ２１は、カバー３が開閉口２０を閉じた際に係止爪部３２を左右の両側から挟み込むように収容するためのもので、受台部２３の下面に前後方向に延びている。両収容リブ２１間に位置する受台部２３の下面の前縁部には、係止爪部３２の横架部３２２を係止するための一対の係止リブ２２が、左右に並んで配置されている。
【００１６】
開閉口２０を閉じたカバー３は、ハウジング２の収容リブ２１間に係止爪部３２を収容されて、横架部３２２の後縁部を係止リブ２２に係止され、開方向への回動を規制されている。図４（ａ）に拡大して示すように、係止爪部３２は、受け部２３の後端面よりも前方に先端面３２ａを位置させ、両収容リブ２１の内側面に左右の側端面３２ｂを向き合わせている。
【００１７】
この状態では、図４に示すように、係止爪部３２が左右の両側から挟み込まれるように収容リブ２１間に収容されていることから、係止爪部３２の左右の側方から裏面側に電線Ｗが回り込むのが収容リブ２１により妨げられる。しかも、仮に係止爪部３２の側端面３２ｂと収容リブ２１との間を電線Ｗが通り、係止爪部３２の先端角部を通して先端面３２ａに電線Ｗが接触しても、先端面３２ａ及び側端面３２ｂが係止爪部３２の表面及び裏面に対して略直角に屈曲した平坦面となっていることから、係止爪部３２の先端角部に引っ掛かることなく電線Ｗが側端面３２ｂと収容リブ２１との間から引き抜かれることとなる。
【００１８】
これに対して、図５に示すように、係止爪部３２０の先端面３２０ａに傾斜面３２０ｃを備える場合には、係止爪部３２０の側端面３２０ｂと収容リブ２１との間を通った電線Ｗが、係止爪部３２０の先端角部を通して傾斜面３２０ｃに接触すると、係止爪部３２０の傾斜面３２０ｃと側端面３２０ｂとの角部に引っ掛かり、係止爪部３２０が下側に引き下げられて係止爪部３２０に対する係止リブ２２（図３参照）の係止が解け、カバー３が開方向に回動する虞がある。
【００１９】
本実施形態によれば、受台部２３で支持された係止爪部３２の先端部を一対の収容リブ２１で両側から収容することで、左右の側端面３２ｂから裏面側に電線Ｗが回り込むのを収容リブ２１で妨げることができる。しかも、係止爪部３２の先端角部の先端面３２ａが、係止爪部３２の表面側から裏面側に向けて平坦に延びていることから、係止爪部３２の側端面３２ｂと収容リブ２１との間から係止爪部３２の先端角部を通して先端面３２ａに接触した電線Ｗが、係止爪部３２の先端角部に引っ掛かるのを防止できる。
【００２０】
上記実施形態では、係止爪部３２の先端面３２ａ及び左右の側端面３２ｂが、全面に亘って係止爪部３２の表面及び裏面に対して略直角に屈曲した平坦面となっている場合について説明した。しかしながら、係止爪部３２の左右の先端角部に位置した先端面３２ａ及び側端面３２ｂが、係止爪部３２の表面及び裏面に対して略直角に屈曲した平坦面となっていれば、係止爪部３２の基端側に位置する側端面３２ｂ、及び、左右方向の中央部に位置する先端面３２ａの面形状は任意であり、必ずしも係止爪部３２の表面及び裏面に対して略直角に屈曲した平坦面である必要はない。
【００２１】
上記実施形態では、３本の縦爪部３２１の先端間に横架部３２２を架け渡して係止爪部３２が構成されている場合について説明した。しかしながら、係止爪部３２の先端面及び左右の側端面の少なくとも先端角部が、係止爪部３２の表面及び裏面に対して略直角に屈曲した平坦面となっていれば、係止爪部３２の構成は任意であり、例えば、平板体から構成されていてもよい。また、平板状に形成されたカバー３の先端面及び左右の側端面の少なくとも左右の先端角部がカバー３の表面及び裏面に対して略直角に屈曲した平坦面となっており、係止爪部３２を備えていなくてもよい。また、係止爪部３２のハウジング２への係止方法も任意である。
【００２２】
上記実施形態では、カバー３の係止爪部３２をハウジング２が受台部２３で受けたことから、受台部２３に収容リブ２１が備えられている場合について説明したが、開閉口２０を閉じたカバー３の係止爪部３２を左右の両側から挟み込むように収容できるのであれば、受台部２３の形成位置は任意である。例えば、ハウジング２が受台部２３を備えない場合には、ハウジング２の下面に収容リブ２１を直接設けてもよい。また、ハウジング２に設けた凹部で収容壁を構成してもよい。
【００２３】
また、受台部２３の下面での収容リブ２１の形成位置は、係止爪部３２の先端部を左右の両側から挟み込むように収容し、係止爪部３２の先端に電線Ｗが引っ掛かるのを防止できるのであれば任意であり、例えば、受台部２３の後縁部のみに形成されていてもよい。また、カバーが覆閉する被覆体は、コネクタ１のハウジング２には限られない。
【符号の説明】
【００２４】
１      コネクタ
２      ハウジング（被覆体）
３      カバー
２０    開閉口
２１    収容リブ
２２    係止リブ
３１    カバー本体
３２    係止爪部
３２ａ  先端面
３２ｂ  側端面
３２１  縦爪部
３２２  横架部
４      ヒンジ部
【図１】
2011060648.tif 000003
【図２】
2011060648.tif 000004
【図３】
2011060648.tif 000005
【図４】
2011060648.tif 000006
【図５】
2011060648.tif 000007